(57)【要約】【課題】横目地をガスケットを用いて乾式で施工容易に止水できると共に、該ガスケットの耐久性を向上し、また、きれいな仕上がり状態を得ることができる、、乾式の外壁横目地止水構造等を提供する。【解決手段】横目地止水用のガスケット６がサッシ枠２のアタッチメント４に設けられ、該ガスケット６付きアタッチメント４のガスケット６が、外壁面材１とサッシ枠２との間の横目地３の内部に嵌め込まれて、横目地３がガスケット６で止水されると共に、横目地３がアタッチメント４で隠されている。【選択図】      図１
2009185448.tif 000002
【特許請求の範囲】
【請求項１】
横目地止水用のガスケットが横目地隠し材に設けられ、該ガスケット付き横目地隠し材のガスケットが、外壁面における、外壁面材とサッシ枠との間の横目地内部、又は、外壁面材間の横目地内部に嵌め込まれて、外壁面における横目地がガスケットで止水されると共に、外壁面おける横目地が前記隠し材で隠されていることを特徴とする乾式の外壁横目地止水構造。
【請求項２】
前記横目地が、外壁面材とサッシ枠との間の横目地からなり、前記横目地隠し材が、サッシ枠のアタッチメントからなる請求項１に記載の乾式の外壁横目地止水構造。
【請求項３】
前記横目地が上下の外壁面材間の横目地からなる請求項１に記載の乾式の外壁横目地止水構造。
【請求項４】
前記横目地が階間における上下の外壁面材間の横目地からなる請求項１に記載の乾式の外壁横目地止水構造。
【請求項５】
請求項１乃至４のいずれか一に記載の乾式の外壁横目地止水構造を採用する外壁目地止水構造であって、
縦目地内における前記横目地との連通開口部に仕切り材が配置されて該仕切り材により連通開口部が閉じられており、
該仕切り材は、前記ガスケット付き横目地隠し材のガスケットの端部に対し止水状態となるように設けられていると共に、前記横目地と連通する縦目地の目地内空間部を挟む側面部と面一ないしは略面一となるように設けられて縦目地内に嵌め込まれた縦目地用ガスケットの接地面を構成していることを特徴とする外壁目地止水構造。
【発明の詳細な説明】
【技術分野】
【０００１】
本発明は、乾式の外壁横目地止水構造及び外壁目地止水構造に関する。
【背景技術】
【０００２】
住宅等の建物において、開口部のサッシ枠と外壁面材との間の横目地や、階間の横目地の止水は、従来、湿式シーリングで行うのが一般的であった。
【特許文献１】特開２００５−２１３８８６号公報
【発明の開示】
【発明が解決しようとする課題】
【０００３】
しかしながら、湿式リーリングによる方法では施工が厄介であることから、ガスケットを用いた乾式の横目地止水方法の提供が求められている。
【０００４】
本発明は、そのような要請のもとで、横目地をガスケットを用いて乾式で施工容易に止水することができると共に、該ガスケットの耐久性を向上し、また、きれいな仕上がり状態を得ることができる、乾式の外壁横目地止水構造及び外壁目地止水構造を提供することを課題とする。
【課題を解決するための手段】
【０００５】
上記の課題は、横目地止水用のガスケットが横目地隠し材に設けられ、該ガスケット付き横目地隠し材のガスケットが、外壁面における、外壁面材とサッシ枠との間の横目地内部、又は、外壁面材間の横目地内部に嵌め込まれて、外壁面における横目地がガスケットで止水されると共に、外壁面おける横目地が前記隠し材で隠されていることを特徴とする乾式の外壁横目地止水構造によって解決される（第１発明）。
【０００６】
この構造では、ガスケット付き横目地隠し材のガスケットを、外壁面における、外壁面材とサッシ枠との間の横目地内部、又は、外壁面材間の横目地内部に嵌め込めば、横目地は止水され、横目地を乾式で施工容易に止水することができる。しかも、同時に、横目地は隠し材で隠され、それにより、ガスケットの耐久性を向上することができると共に、きれいな仕上がり状態を得ることができ、また、その施工も容易に行っていくことができる。
【０００７】
第１発明において、前記横目地が、外壁面材とサッシ枠との間の横目地からなり、前記横目地隠し材が、サッシ枠のアタッチメントからなるとよい（第２発明）。このように、サッシ枠のアタッチメントを隠し材として併用することにより、専用の隠し材が不要で、部品点数を少なくすることができると共に、スッキリとした納まりにすることができ、また、サッシ枠のアタッチメントを取り付けることで、横目地の止水も横目地隠しも達せられ、施工を容易にすることができる。
【０００８】
第１発明において、前記横目地が上下の外壁面材間の横目地からなるのもよい（第３発明）。また、第１発明において、前記横目地が階間における上下の外壁面材間の横目地からなるのもよい（第４発明）。これらの場合は、上下の外壁面材間の横目地や、階間における上下の外壁面材間の横目地を、ガスケットにより乾式で施工容易に止水することができ、しかも、同時に、横目地は隠し材で隠され、それにより、ガスケットの耐久性を向上することができると共に、きれいな仕上がり状態を得ることができ、また、その施工も容易に行っていくことができる。
【０００９】
また、本発明は、第１〜第４発明の乾式の外壁横目地止水構造を採用する外壁目地止水構造であって、
縦目地内における前記横目地との連通開口部に仕切り材が配置されて該仕切り材により連通開口部が閉じられており、
該仕切り材は、前記ガスケット付き横目地隠し材のガスケットの端部に対し止水状態となるように設けられていると共に、前記横目地と連通する縦目地の目地内空間部を挟む側面部と面一ないしは略面一となるように設けられて縦目地内に嵌め込まれた縦目地用ガスケットの接地面を構成していることを特徴とする外壁目地止水構造を含む（第５発明）。
【００１０】
この構造では、縦目地の目地内空間部における横目地の連通開口部に設けられた仕切り材が、縦目地内に嵌め込まれた縦目地用ガスケットの接地面を構成していると共に、該仕切り材は横目地隠し材のガスケットの端部に対し止水状態となるように設けられているので、横目地と縦目地とが交差する部分を、横目地隠し材のガスケットと仕切り材と縦目地用ガスケットとでしっかりとした止水状態にすることができ、しかも、その施工を容易に行うことができる。
【発明の効果】
【００１１】
本発明は、以上のとおりのものであるから、横目地をガスケットを用いて乾式で施工容易に止水することができると共に、該ガスケットの耐久性を向上し、また、きれいな仕上がり状態を得ることができる。
【発明を実施するための最良の形態】
【００１２】
次に、本発明の実施最良形態を図面に基づいて説明する。
【００１３】
図１〜図４に示す第１実施形態は、外壁面材１とサッシ枠２との間の上下の横目地３，３に適用した場合のもので、４，５は、サッシ枠２の上下に備えられる横目地隠し材を兼ねたアタッチメントであり、図１及び図２に示すように、上アタッチメント４には、その上端の内面部に、横目地止水用のガスケット６が設けられ、また、図３に示すように、下アタッチメント５には、その下端の内面部に、同じく横目地止水用のガスケット６が設けられている。
【００１４】
そして、サッシ枠２の上側に備えられている横目地３の止水は、図１（ロ）及び図２（イ）に示すように、側アタッチメント７と内側の上アタッチメント８とをサッシ枠２に取り付けた後、上記のガスケット６付きの上アタッチメント４を、ガスケット６を横目地３に嵌め込むようにして、サッシ枠２に取り付けるというようにして行うことができる。
【００１５】
また、サッシ枠２の下側に備えられている横目地３の止水についても同様で、図３（ロ）に示すように、上記の側アタッチメント７と内側の下アタッチメント９とをサッシ枠２に取り付けた後、ガスケット６付きの下アタッチメント５を、ガスケット６を横目地３に嵌め込むようにして、サッシ枠２に取り付けるというようにして行うことができる。
【００１６】
上記の乾式の外壁横目地止水構造によれば、ガスケット付きアタッチメント４，５のガスケット６，６をそれぞれ、外壁面材１とサッシ枠２との間の上下の横目地３，３の内部に嵌め込めば、横目地３，３はそれらのガスケット６，６によって止水され、上下の横目地３，３を乾式で施工容易に止水することができる。しかも、同時に、横目地３，３はアタッチメント４，５で隠され、ガスケット６，６の耐久性を向上することができ、また、きれいな仕上がり状態を得ることができる。更に、アタッチメント４，５を取り付けることで、横目地３，３の止水も横目地隠しも達せられ、施工を容易にすることができる。
【００１７】
また、本実施形態では、サッシ枠２のアタッチメント４，５を隠し材として併用しているので、専用の隠し材が不要で、部品点数を少なくすることができると共に、スッキリとした納まりにすることができる。
【００１８】
更に、本実施形態では、上記の横目地止水構造において、次のような構成が追加されている。即ち、図４及び図２（ロ）に示すように、縦目地１１内における前記上側の横目地３との連通開口部１３には、仕切り材としてのエンドキャップ１２が配置されて、該エンドキャップ１２により連通開口部１３が閉じられ、該エンドキャップ１２は、ガスケット付きアタッチメント４のガスケット６の端部に対し止水状態となるように設けられると共に、横目地３と連通する縦目地１１の目地内空間部を挟む側面部１４と面一ないしは略面一となるように設けられて、縦目地１１内に嵌め込まれた縦目地用ガスケット１０の接地面を構成し、縦目地用ガスケット１０の側面部を弾力的に当接させて止水状態を形成している。なお、エンドキャップ１２の材質や形態、特性に特段の制限はなく、プレート状のものや、ゴム状のものなどからなっていてもよい。また、図示しないが、下側の横目地３についても同様の構成が採用されている。
【００１９】
このような構造を採用することによって、横目地３，３と縦目地１１とが交差する部分を、ガスケット付きアタッチメント４，５のガスケット６とエンドキャップ１２と縦目地用ガスケット１０とでしっかりとした止水状態にすることができ、しかも、その施工を容易にすることができる。
【００２０】
なお、ガスケット付きアタッチメント４やエンドキャップ１２の取付けは、図４（イ）に示すようなサッシ枠２付き外壁パネル１５に対して行われてもよいし、図４（ロ）に示すようなサッシ枠付き外壁パネル１５を備えた外壁面に対して現場で行われてもよい。
【００２１】
図５に示す第２実施形態は、横目地３が、上下の外壁面材１，１間の横目地、例えば、階間における上下の外壁面材１，１間の横目地からなる場合のもので、１６がガスケット付き横目地隠し材で、横目地隠し材１６は、金属や樹脂などからなる硬質の線状材あるいは硬質の面状材からなっていて、本実施形態では水切り板を兼ねた構造となっていて、該横目地隠し材１６の内面部に横目地止水用のガスケット６が設けられている。
【００２２】
そして、上下の外壁面材１，１間の横目地３の止水は、図５（ハ）に示すように、上記のガスケット６付きの横目地隠し材１６を、ガスケット６を横目地３に嵌め込むようにして、外壁面材１に取り付けるというようにして行うことができる。
【００２３】
上記の乾式の外壁横目地止水構造によれば、ガスケット付き横目地隠し材１６のガスケット６を、上下の外壁面材１，１間の横目地３の内部に嵌め込めば、横目地３はガスケット６によって止水され、横目地３を乾式で施工容易に止水することができる。しかも、同時に、横目地３は横目地隠し材１６で隠され、ガスケット６の耐久性を向上することができ、また、きれいな仕上がり状態を得ることができると共に、ガスケット付き横目地隠し材１６を取り付けることで、横目地３の止水も横目地隠しも達せられ、施工を容易にすることができる。
【００２４】
以上に、本発明の実施形態を示したが、本発明はこれに限られるものではなく、発明思想を逸脱しない範囲で各種の変更が可能である。例えば、上記の実施形態では、仕切り材１２を、サッシ枠２と外壁面材１との間の横目地との関係で採用した場合を示したが、第５発明では、上下の外壁面材間の横目地との関係で採用するようにしてもよい。
【図面の簡単な説明】
【００２５】
【図１】第１実施形態の外壁横目地止水構造を示すもので、図（イ）は図４（ロ）のＩ−Ｉ線断面矢視図、図（ロ）はガスケット付きアタッチメントの取付け方法を示す同断面矢視図である。
【図２】図（イ）はガスケット付きアタッチメントを分離状態にした斜視図、図（ロ）はエンドキャップを分離状態にした斜視図である。
【図３】図（イ）は図４（ロ）のＩＩ−ＩＩ線断面矢視図、図（ロ）はガスケット付きアタッチメントの取付け方法を示す同断面矢視図である。
【図４】図（イ）は外壁面を構成するサッシ枠付き外壁パネルの正面図、図（ロ）は同外壁パネルを用いて構成された外壁面の正面図である。
【図５】第２実施形態の外壁横目地止水構造を示すもので、図（イ）は正面図、図（ロ）は図（イ）のＩＩＩ−ＩＩＩ線断面図、図（ハ）はガスケット付き横目地隠し材の取付け方法を示す同断面図である。
【符号の説明】
【００２６】
１…外壁面材
２…サッシ枠
３…横目地
４…アタッチメント（横目地隠し材）
６…ガスケット
１０…縦目地用ガスケット
１１…縦目地
１２…エンドキャップ（仕切り材）
１３…連通開口部
１４…側面部
１６…仕切り材
【図１】
2009185448.tif 000003
【図２】
2009185448.tif 000004
【図３】
2009185448.tif 000005
【図４】
2009185448.tif 000006
【図５】
2009185448.tif 000007